【手続補正書】
【提出日】平成16年7月27日(2004.7.27)
【手続補正１】
【補正対象書類名】明細書
【補正対象項目名】特許請求の範囲
【補正方法】変更
【補正の内容】
【特許請求の範囲】
【請求項１】
高周波加熱室で高周波加熱を行う高周波加熱装置と上面にトッププレートを有する誘導加熱装置とを備えた複合調理器において、
前記誘導加熱装置を取付手段により、前記高周波加熱装置の一側に移動可能に取付け、
また、前記誘導加熱装置を、そのトッププレートが前記高周波加熱装置の一側と対向するように配置可能とすることを特徴とする複合調理器。
【請求項２】
前記取付手段を、前記誘導加熱装置に設けた取付軸と、前記高周波加熱装置に設け、前記取付軸が嵌合される軸受部とし、
前記誘導加熱装置を前記高周波加熱装置の一側に、前記取付軸と前記軸受部により回動可能に取付け、
前記誘導加熱装置を使用時、不使用時に応じて、前記誘導加熱装置を前記取付軸を中心に回動することを特徴とする請求項１に記載の複合調理器。
【請求項３】
前記誘導加熱装置の単独の電源基板又は前記高周波加熱装置と共用の電源基板を前記高周波加熱装置内に収納し、
前記取付軸に前記誘導加熱装置の内部に通じる軸穴を設け、
該軸穴を通した前記誘導加熱装置の加熱コイルのリード線と、前記高周波加熱装置内に収納された前記電源基板のリード線とを接続することを特徴とする請求項2に記載の複合調理器。
【請求項４】
前記高周波加熱装置と前記誘導加熱装置との間で、電源基板、冷却用モータ及び冷却ファンを共用することを特徴とする請求項２に記載の複合調理器。
【請求項５】
前記電源基板、前記冷却用モータ及び前記冷却ファンを前記高周波加熱装置内に収納することを特徴とする請求項４に記載の複合調理器。
【請求項６】
前記取付軸に前記誘導加熱装置の内部に通じる軸穴を設け、
吸気孔又は排気孔を有する前記高周波加熱装置と排気孔又は吸気孔を有する前記誘導加熱装置との間に前記取付軸の前記軸穴を介した風路を形成し、
前記冷却用モータと前記冷却ファンにより、前記高周波加熱装置内の電源基板及び前記誘導加熱装置内の加熱コイルを冷却することを特徴とする請求項５に記載の複合調理装置。
【請求項７】
前記誘導加熱装置の出力操作部を前記高周波加熱装置の操作パネルに設け、また、前記誘導加熱装置の天板上に出力表示部を設けることを特徴とする請求項１から請求項６のいずれかの請求項に記載の複合調理器。
【請求項８】
前記誘導加熱装置の底部に着地スイッチを備え、前記誘導加熱装置を使用時に、前記着地スイッチが設置台と接触することにより前記誘導加熱装置に電源が接続することを特徴とする請求項１から請求項７に記載の複合調理装置。
【請求項９】
操作パネルに交互動作スイッチを設け、該交互動作スイッチを動作させることにより、前記高周波加熱装置と前記誘導加熱装置とに交互に通電することを特徴とする請求項１から請求項８に記載の複合調理装置。
【手続補正２】
【補正対象書類名】明細書
【補正対象項目名】０００８
【補正方法】変更
【補正の内容】
【０００８】
【課題を解決するための手段】
本発明に係る複合調理器は、高周波加熱室で高周波加熱を行う高周波加熱装置と天面にトッププレートを有する誘導加熱装置とを備えた複合調理器において、誘導加熱装置を、取付手段により高周波加熱装置の一側に移動可能に取付け、また、トッププレートが高周波加熱装置の一側と対向するように誘導加熱装置を配置可能とするものである。
【手続補正３】
【補正対象書類名】明細書
【補正対象項目名】０００９
【補正方法】変更
【補正の内容】
【０００９】
また、本発明に係る複合調理器は、取付手段を、誘導加熱装置に設ける取付軸と、高周波加熱装置に設け、取付軸が嵌合される軸受部とし、誘導加熱装置を高周波加熱装置の一側に、取付軸と軸受部により回動可能に取付け、誘導加熱装置を使用時、不使用時に応じて、誘導加熱装置を取付軸を中心に回動するものである。
【手続補正４】
【補正対象書類名】明細書
【補正対象項目名】００１０
【補正方法】変更
【補正の内容】
【００１０】
また、本発明に係る複合調理器は、誘導加熱装置の単独の電源基板又は高周波加熱装置と共用の電源基板を高周波加熱装置内に収納し、取付軸に誘導加熱装置の内部に通じる軸穴を設け、該軸穴を通した誘導加熱装置の加熱コイルのリード線と、高周波加熱装置内に収納された電源基板のリード線とを接続するものである。
【手続補正５】
【補正対象書類名】明細書
【補正対象項目名】００１１
【補正方法】変更
【補正の内容】
【００１１】
また、本発明に係る複合調理器は、高周波加熱装置と誘導加熱装置との間で、電源基板、冷却用モータ及び冷却ファンを共用するものである。
【手続補正６】
【補正対象書類名】明細書
【補正対象項目名】００１２
【補正方法】変更
【補正の内容】
【００１２】
また、本発明に係る複合調理器は、電源基板、冷却用モータ及び冷却ファンを高周波加熱装置内に収納するものである。
【手続補正７】
【補正対象書類名】明細書
【補正対象項目名】００１３
【補正方法】変更
【補正の内容】
【００１３】
また、本発明に係る複合調理器は、取付軸に誘導加熱装置の内部に通じる軸穴を設け、吸気孔又は排気孔を有する高周波加熱装置と排気孔又は吸気孔を有する誘導加熱装置との間に取付軸の軸穴を介した風路を形成し、冷却用モータと冷却ファンにより、高周波加熱装置内の電源基板及び誘導加熱装置内の加熱コイルを冷却するものである。
【手続補正８】
【補正対象書類名】明細書
【補正対象項目名】００１４
【補正方法】変更
【補正の内容】
【００１４】
また、本発明に係る複合調理器は、誘導加熱装置の出力操作部を高周波加熱装置の操作パネルに設け、また、誘導加熱装置の天板上に出力表示部を設けるものである。
【手続補正９】
【補正対象書類名】明細書
【補正対象項目名】００１５
【補正方法】変更
【補正の内容】
【００１５】
また、本発明に係る複合調理器は、誘導加熱装置の底部に着地スイッチを備え、誘導加熱装置を使用時に、着地スイッチが設置台と接触することにより誘導加熱装置に電源が接続されるものである。
【手続補正１０】
【補正対象書類名】明細書
【補正対象項目名】００１６
【補正方法】変更
【補正の内容】
【００１６】
また、本発明に係る複合調理器は、操作パネルに交互動作スイッチを設け、該交互動作スイッチを動作させることにより、高周波加熱装置と誘導加熱装置とに交互に通電するものである。
【手続補正１１】
【補正対象書類名】明細書
【補正対象項目名】００２０
【補正方法】変更
【補正の内容】
【００２０】
取付軸１１には、内部に軸方向に軸穴１１ａが形成され、軸穴１１ａには加熱コイル８のリード線１２、１２が通り、その一端からリード線接続部１２ａ、１２ｂが出る（図３）。
軸受部１３の軸受穴１３ａには取付軸１１が嵌合されるが、操作パネル４と反対側の軸受穴１３ａにはリード線接続部１２ａ、１２ｂが出ている取付軸１１が嵌合され、取付軸１３は蓋体１４で外側から蓋がされる（図３、図４）。このとき、軸受部１３が蓋体１４で蓋がされるとき、両者の内部には空間が形成され、軸受穴１３ａに嵌合される取付軸１１の軸穴１１ａから出るリード線接続部１２ａ、１２ｂは、この空間内で、高周波加熱装置１内の電源基板のリード線の接続部と接続される。即ち、両側の取付軸１１は、それぞれ、両側の軸受部１３の軸受穴１３ａに嵌合され、操作パネル４と反対側の取付軸１１の軸穴１１ａの、加熱コイル８のリード線接続部１２ａ、１２ｂは、電源基板のリード線の接続部に接続され、蓋体１４が軸受部１３に取付られ、接続部はカバーされる。
【手続補正１２】
【補正対象書類名】明細書
【補正対象項目名】００４２
【補正方法】変更
【補正の内容】
【００４２】
【発明の効果】
本発明の複合調理器は、高周波加熱室で高周波加熱を行う高周波加熱装置と上面にトッププレートを有する誘導加熱装置とを備えた複合調理器であって、誘導加熱装置を、取付手段により高周波加熱装置の一側に移動可能に取付け、また、トッププレートが高周波加熱装置の一側と対向するように誘導加熱装置を配置可能とするので、誘導加熱装置を使用しないときは、トッププレートが高周波加熱装置の一側と対向するように誘導加熱装置を配置させ、全体を小さくでき、設置スペースを有効活用できる。また、衝撃に弱いトッププレートのある面を保護できる。